(57)【要約】【課題】水洗工程での異なる繊維束への単糸の移行を抑制することができる走行糸分割ガイド装置を提供する。【解決手段】連続して走行する繊維束Ｙを分割繊維束Ｙ１及びＹ２に分割するためのガイドロール１を備え、分割対象の前記分割繊維束Ｙ１及びＹ２に接触させながら前記ガイドロール１を繊維束Ｙの走行方向に対して垂直方向へ所定の角度で回転自在とした走行糸分割ガイド装置を使用する。【選択図】図１
2007321276.tif 000002
【特許請求の範囲】
【請求項１】
連続して走行する繊維束を分割繊維束に分割するためのガイドロールを備え、分割対象の前記分割繊維束に接触させながら前記ガイドロールを繊維束の走行方向に対して垂直方向へ所定の角度で回転自在とした走行糸分割ガイド装置。
【請求項２】
前記分割繊維束の張力に対応して分割繊維束とガイドとの間に形成される角度を調整するカウンターウエイトを備えた請求項１に記載の走行糸分割ガイド装置。
【請求項３】
前記ガイドロールの繊維束との接触面が円筒状曲面で形成された平ロールである請求項１または請求項２に記載の走行糸分割ガイド装置。
【請求項４】
前記ガイドロールが水洗槽内に設置されることを特徴とする請求項１〜３のいずれか１項に記載の走行糸分割ガイド装置。
【発明の詳細な説明】
【技術分野】
【０００１】
本発明は、レーヨン、アクリル、全芳香族ポリアミドなどの有機系高分子から成る合成繊維の水洗工程において、異なる繊維束間の単糸移動を抑制するための走行糸分割ガイド装置に関する。
【背景技術】
【０００２】
一般に、レーヨン、アクリル、全芳香族ポリアミドなどの有機系高分子からなる合成繊維は、紡糸口金に設けられた吐出孔群より、紡糸液を凝固浴槽内の凝固液中に吐出させて凝固させて、繊維化させる湿式紡糸法によって製造される。このような湿式紡糸法では、紡糸液中に含まれる溶媒を除去することが重要であり、そのための方法として水洗処理が行われている。
【０００３】
また、湿式紡糸以外でも繊維表面の異物や剤を除去する方法として水洗処理が行われている。
このような水洗の方法としては、水洗液を満たした浴槽に浸漬させる方法や、浴槽に浸漬させたときに繊維の進行方向と逆向きに水洗液を流す方法が一般に知られている。
【０００４】
さらに、特許文献１（特開平０５−１４０８１５号公報）では、加振器あるいはラダーロール状のフリーロールを繊維束に接触させることにより、繊維束を振動させ洗浄効果を向上させる技術が開示されている。
【０００５】
また、特許文献２（特開２００１−４９５２３号公報）では、外周部に糸条を支持する部材を有するロールで繊維束を搬送することにより、繊維束を振動させ、洗浄効果を向上させる技術が開示させている。
【０００６】
また、特許文献３（特開平０６−１７３１５５号公報）では走行する糸条の直上に設けられた噴霧ノズルより洗浄水を噴霧させることにより洗浄液量の削減や洗浄度の改善を図る方法が提案されている。
【０００７】
しかしながら、これらの方法はいずれも繊維束内に水洗液を効率良く浸透させることで洗浄効果を高める技術であり、繊維束を洗浄する際には、浴槽内で異なる繊維束間で単糸の移動が発生し、工程調子が悪化するという問題がある。
【０００８】
【特許文献１】特開平０５−１４０８１５号公報
【特許文献２】特開２００１−４９５２３号公報
【特許文献３】特開平０６−１７３１５５号公報
【発明の開示】
【発明が解決しようとする課題】
【０００９】
本発明は、以上に述べた従来技術が有する諸問題を解決するためになされたものであって、本発明の目的は、異なる繊維束への単糸の移行を抑制する走行糸分割ガイド装置を提供することにある。
【課題を解決するための手段】
【００１０】
本発明者等は、前記目的を達成するために鋭意検討した結果、水洗工程において走行する連続繊維束の走行方向に対して垂直方向にガイドを当てることにより、異なる繊維束への単糸の移行を抑制することができることを見出して本発明を完成するに至ったものである。
【００１１】
ここに、前記課題を解決するための請求項１に係る本発明の走行糸分割ガイド装置として、「連続して走行する繊維束を分割繊維束に分割するためのガイドロールを備え、分割対象の前記分割繊維束に接触させながら前記ガイドロールを繊維束の走行方向に対して垂直方向へ所定の角度で回転自在とした走行糸分割ガイド装置」が提供される。
このとき、請求項２記載の本発明のように、「前記分割繊維束の張力に対応して分割繊維束とガイドとの間に形成される角度を調整するカウンターウエイトを備えた請求項１に記載の走行糸分割ガイド装置」とすることが好ましい。
【００１２】
また、請求項３記載の本発明のように、「前記ガイドロールの繊維束との接触面が円筒状曲面で形成された平ロールである請求項１または請求項２に記載の走行糸分割ガイド装置」とすることが好ましい。
【００１３】
そして、請求項４記載の本発明のように、「前記ガイドロールが水洗槽内に設置されることを特徴とする請求項１〜３のいずれか１項に記載の走行糸分割ガイド装置」とすることが好ましい。
【発明の効果】
【００１４】
以上のように、本発明の走行糸分割ガイド装置によれば、水洗工程での走行糸に連続繊維束の走行方向に対して垂直方向にガイドロールを当てることにより、異なる繊維束への単糸の移行を抑制することが可能となる。
【発明を実施するための最良の形態】
【００１５】
以下、本発明の実施の形態について図面を参照しながら説明する。なお、図1は、本発明に係る走行糸分割ガイド装置（以下、単に「分割ガイド装置」と言う）の一実施例に係る動作説明図、そして、図２に関しては、図２（ａ）は平面図、図２（ｂ）は側面図をそれぞれ示す。
【００１６】
これら図１及び図２における各参照符号について先ず説明すると、符号Ｙは走行糸条、符号１はガイドロール、符号２は軸受部材、符号３はガイド軸、符号４はカウンターウエイト、符号５は支持部材、符号６は係止部材、そして、符号７は台座をそれぞれ表し、本発明に係る分割ガイド装置は、これらの部材によって構成されている。
【００１７】
これら図１及び図２に例示した実施形態のように構成される本発明の分割ガイド装置は、レーヨン、アクリル、全芳香族ポリアミドなどの有機系高分子からなる合成繊維を製造する工程（例えば、水洗工程において水洗槽の水洗液中）で使用される。なお、図１及び図２においては、水洗槽は図示省略している。
【００１８】
前記図１及び図２（ａ）において、複数本の糸条Ｙ（図では２本の糸条）は、互いに集められて繊維束を構成して紙面に対して直角方向に上方から下方へと走行している。このとき、水洗工程においては、「背景技術」欄で説明したように、洗浄効果を高めるために、糸条Ｙが振動させられたり、液体が噴射されたりして糸条Ｙの走行安定性が乱されるために、繊維束間で単糸が交差移動するような事態が発生する。このとき、繊維束を構成する単糸の数が少ない場合はそれほど問題はないが、繊維束を構成する単糸数が例えば１５，０００〜２００，０００本と多くなると、単糸が繊維束間を移動して単糸切れが発生し、工程調子が悪化する。
【００１９】
そこで、繊維束間の単糸移動を防止するために本発明に係る分割ガイド装置を使用して、ガイドロール１を連続走行する繊維束の走行方向に対して垂直方向に所定の角度（θ）だけ回転させて、走行する連続繊維束を分割する。すなわち、走行する繊維束同士を分割して、繊維束を工程調子が安定となる程度の小さな繊維束Ｙ１及びＹ２とする。この繊維束Ｙを分割繊維束Ｙ１及びＹ２に分割するための分割ガイド装置の動作説明を図１及び図２を参照しながら以下に詳細に説明する。
【００２０】
図示したように、分割対象である繊維束Ｙをガイドロール１によって分割繊維束Ｙ１及びＹ２に分割するために、先ず、図示省略した水洗槽内に分割ガイド装置の台座７を固定する。このとき、ガイドロール１には軸受部材２が付設されており、この軸受部材２にはガイド軸３が挿通しており、このガイド軸３によってガイドローラ１が回転自在に支承されている。また、前記ガイド軸３は支持部材５，５によって両持ち支持され、支持部材５，５は台座７に固定されている。このようにして、ガイドロール１はガイド軸３の回りに回転自在とされている。
【００２１】
このようにして、ガイドロール１はガイド軸３の回りに回転自在であるので、ガイドロール１を所定の角度（θ）だけ回転させることによって、繊維束Ｙを分割繊維束Ｙ１とＹ２とに分割することができる。
【００２２】
また、本発明の分割ガイド装置では、軸受部材２を間に挟んだガイドロール１の対向側には、ガイドロール１の重量を適当に相殺するためのカウンターカウンターウエイト４が設けられている。なお、このカウンターウエイト４は、図２に示したように、ナットなどの係止部材５で固定されている。
【００２３】
ここで、前述のカウンターカウンターウエイト４は、ガイドロール１に作用する糸条張力に応じてガイドロール１と繊維束Ｙ２との間の角度が自動的に調整されるようにするための張力調整手段として設けられている。したがって、カウンターウエイト４の重量は、分割繊維束Ｙ２の張力に応じて適宜最適な値に設定されることは言うまでもない。
【００２４】
本発明において、ガイドロール１は繊維束Ｙと直接接触するので、その接糸部に関しては、擦過によって繊維束Ｙにダメージを与えるのを避ける形状および材質とする必要がある。そこで、ガイドロール１の接糸部には糸条Ｙにダメージを与えるような鋭いエッジ部がなく、かつ、滑らかな曲率を有する円筒状の平ロールであることが好ましい。また、擦過による損傷を受けないようにするために、適当な表面粗さを有することが好ましい。
【００２５】
また、本発明に係わる分割ガイド装置は、水洗槽の出入口部に設けても良いが、分割繊維束Ｙ１及びＹ２間の単糸移動を抑制するためには、水洗槽内の水洗液中に設置することが好ましい。さらに、本発明に係る分割ガイド装置は、水洗槽中に一個だけ設ける場合について説明した。しかし、繊維束Ｙを分割する個数に対応させて、複数個を設けることができることは言うまでもない。
【００２６】
以上、本発明に係る分割ガイド装置の実施形態例を説明したが、本発明の要旨を変更しない範囲で種々の変形が可能である。例えば、本発明に係る分割ガイド装置は湿式紡糸工程あるいは乾湿式紡糸工程などにおける水洗槽だけではなく、凝固浴槽や、あるいはオイリング槽などの機能剤付与工程でも使用可能であり、繊維束間の単糸移動を抑制することにより、安定した工程調子と良好な品質の繊維製品を得ることが可能である。
【図面の簡単な説明】
【００２７】
【図１】本発明に係る走行糸条分割ガイド装置の動作説明をするための模式図（平面図）である。
【図２】本発明の実施形態例を模式的に示した図であって、図２（ａ）は平面図、図２（ｂ）は側面図をそれぞれ示す。
【符号の説明】
【００２８】
１  ：  ガイドロール
２  ：  軸受部材
３  ：  ガイド軸
４  ：  カウンターウエイト
５  ：  支持部材
６  ：  係止部材
７  ：  台座
【図１】
2007321276.tif 000003
【図２】
2007321276.tif 000004